(57)【要約】【課題】冷却器カバーの裏面の周縁部にシール部材を設けたものにおいて、冷却器カバーの下部から庫内側への落水を防止する。【解決手段】本実施形態の冷蔵庫は、貯蔵室を有する冷蔵庫本体と、冷蔵庫本体に設けられた冷却器収容部と、冷却器収容部に配設された冷却器と、冷却器の下方に当該冷却器の除霜時の除霜水を受けるように設けられた樋と、冷却器を貯蔵室側から覆うように設けられた冷却器カバーと、冷却器カバーの裏面側の周縁部に設けられ下部が樋の外面に接触するシール材と、冷却器カバーの下部を冷蔵庫本体に固定する固定手段と、を備える。そして、固定手段により冷却器カバーの下部を冷蔵庫本体に固定することにより冷却器カバーの下部と樋とでシール部材を挟んで圧縮する構成とした。【選択図】図４
2015014427.tif 000002
【特許請求の範囲】
【請求項１】
貯蔵室を有する冷蔵庫本体と、
この冷蔵庫本体に設けられた冷却器収容部と、
この冷却器収容部に配設された冷却器と、
この冷却器の下方に当該冷却器の除霜時の除霜水を受けるように設けられた樋と、
前記冷却器を前記貯蔵室側から覆うように設けられた冷却器カバーと、
この冷却器カバーの裏面側の周縁部に設けられ下部が前記樋の外面に接触するシール材と、
前記冷却器カバーの下部を前記冷蔵庫本体に固定する固定手段と、を備え、
前記固定手段により前記冷却器カバーの下部を前記冷蔵庫本体に固定することにより前記冷却器カバーの下部と前記樋とで前記シール部材を挟んで圧縮する構成としたことを特徴とする冷蔵庫。
【請求項２】
前記冷却器カバーの下部と前記樋との間で圧縮される部分の前記シール部材の上端部は、当該シール部材と対応する前記樋の上端部とほぼ同位置かそれより高く設定されていることを特徴とする請求項１記載の冷蔵庫。
【請求項３】
前記シール部材は、水分を吸収し難いものであることを特徴とする請求項１または２記載の冷蔵庫。
【発明の詳細な説明】
【技術分野】
【０００１】
本発明の実施形態は冷蔵庫に関する。
【背景技術】
【０００２】
従来、冷蔵庫においては、貯蔵室の背部に設けられた冷却器収容部に冷却器を配設するとともに、その冷却器を庫内側から覆う冷却器カバーを設けるようにしている。そして、冷却器カバーの裏面側の周縁部にシール部材を取り付けることで、冷気の漏れを防止するようにしている。しかしながら、従来では、冷却器の除霜時などに発生する除霜水や結露水が前記シール部材にて吸収され、その吸収された水が冷却器カバーの下部から庫内側（貯蔵室側）へ落下しやすいという不具合があった。
【先行技術文献】
【特許文献】
【０００３】
【特許文献１】特開平１１−２１１３３９号公報
【発明の概要】
【発明が解決しようとする課題】
【０００４】
そこで、冷却器カバーの裏面側の周縁部にシール部材を設けたものにおいて、冷却器カバーの下部から庫内側への落水を防止できる冷蔵庫を提供する。
【課題を解決するための手段】
【０００５】
本実施形態の冷蔵庫は、貯蔵室を有する冷蔵庫本体と、この冷蔵庫本体に設けられた冷却器収容部と、この冷却器収容部に配設された冷却器と、この冷却器の下方に当該冷却器の除霜時の除霜水を受けるように設けられた樋と、冷却器を貯蔵室側から覆うように設けられた冷却器カバーと、この冷却器カバーの裏面側の周縁部に設けられ下部が前記樋の外面に接触するシール材と、冷却器カバーの下部を冷蔵庫本体に固定する固定手段と、を備える。そして、固定手段により冷却器カバーの下部を冷蔵庫本体に固定することにより冷却器カバーの下部と樋とでシール部材を挟んで圧縮する構成とした。
【図面の簡単な説明】
【０００６】
【図１】一実施形態の冷蔵庫による概略的な縦断側面図
【図２】冷蔵庫の下部の概略的な正面図
【図３】冷却器カバーを背面側から見た斜視図
【図４】要部の概略的な横断平面図
【図５】図４中Ｘ５−Ｘ５線に沿う概略的な縦断面図
【発明を実施するための形態】
【０００７】
一実施形態の冷蔵庫について図面を参照して説明する。まず、図１において、冷蔵庫本体１は、前面（図１において左側）が開口した断熱箱体２内に複数の貯蔵室を有して構成されている。断熱箱体２は、周知のように合成樹脂製の内箱３と鋼板製の外箱４との間に発泡断熱材などの断熱材５を充填して構成されている。断熱材５としては、真空断熱パネルを用いることもできる。断熱箱体２内に形成される貯蔵室としては、上から順に冷蔵室６、野菜室７、小冷凍室８および製氷室９（図２参照）、主冷凍室１０とされている。小冷凍室８と製氷室９は、左右に併設されている。冷蔵室６と野菜室７は冷蔵温度帯の貯蔵室であり、また、小冷凍室８および製氷室９、主冷凍室１０は冷蔵温帯より低い冷凍温度帯の貯蔵室である。冷蔵室６と野菜室７との間は断熱仕切壁１１により上下に仕切られている。また、野菜室７と、小冷凍室８および製氷室９との間も断熱仕切壁１２により上下に仕切られている。製氷室９内には、図示はしないが自動製氷装置が設けられている。
【０００８】
冷蔵室６の前面には、一端部が枢支されて前後方向に回動される回動式の扉１３が設けられている。野菜室７の前面には引出し式の扉１４が設けられ、この扉１４の背面側に、上下２段式の野菜容器１５ａ，１５ｂが設けられている。小冷凍室８の前面にも引出し式の扉１６が設けられ、この扉１６の背面側に容器１７が設けられている。製氷室９の前面にも、図示はしないが引出し式の扉が設けられ、この扉の背面側に氷収納容器が設けられている。主冷凍室１０の前面にも引出し式の扉１８が設けられ、この扉１８の背面側に容器１９が設けられている。
【０００９】
冷凍温度帯の貯蔵室である小冷凍室８、製氷室９および主冷凍室１０の後部には冷却器収容部２０が設けられ、この冷却器収容部２０内に冷却器２１が配設されている。冷却器収容部２０の下部には、冷却器２１の下方に位置させて樋２２が設けられている。この樋２２は、図４に示すように横長な容器状をなしていて、冷却器２１の除霜時における除霜水を受けるように配置されている。この場合、冷却器２１には、図示はしないが、冷媒が通るパイプに沿って除霜用のヒータ設けられていて、そのヒータの発熱により冷却器２１の除霜が行われるようになっている。
【００１０】
樋２２のほぼ中央部には排水口２３が設けられている。冷蔵庫本体１の後部の底部には機械室２４が設けられていて、この機械室２４内に、蒸発皿２５や冷凍サイクルのコンプレッサ２６などが配設されている。コンプレッサ２６は、蒸発皿２５内に配置されている。排水口２３の下端部は、断熱箱体２の壁を通して機械室２４内のコンプレッサ２６の上に臨んでいる。樋２２にて受けられた除霜水は、排水口２３からコンプレッサ２６に掛けられ、そのコンプレッサ２６の外面を伝って流下して蒸発皿２５に受けられて貯留される。
【００１１】
冷却器２１の前面側には、この冷却器２１を、貯蔵室側である前方から覆うように冷却器カバー３０が設けられている。冷蔵室６および野菜室７の後部にはダクト形成部材３１が設けられていて、このダクト形成部材３１と内箱３との間に冷気供給ダクト３２が形成されている。この冷気供給ダクト３２は上下方向に延びていて、下端部は前記冷却器収容部２０に連通し、上端部は冷蔵室６の上部まで達している。ダクト形成部材３１には冷気吹出し口３３が複数箇所に設けられていて、冷気供給ダクト３２内を流れる冷気がそれら冷気吹出し口３３から冷蔵室６内に吹き出されるようになっている。冷気供給ダクト３２と冷却器収容部２０の接続部分には、Ｒダンパ３４が開閉可能に設けられている。
【００１２】
前記冷却器カバー３０は、この場合冷却器２１側の後カバー３０ａと、この後カバー３０ａの前面側に設けられた前カバー３０ｂとの二重構造となっていて、これら後カバー３０ａと前カバー３０ｂとの間に冷気通路３５が形成されている。後カバー３０ａの上部には、図３に示すようにファン装置３６が設けられている。このファン装置３６は、冷気循環用である。前カバー３０ｂには、図２に示すように、冷凍温度帯の貯蔵室である小冷凍室８、製氷室９、および主冷凍室１０に対応して複数の冷気吹出し口３７が設けられていて、これら冷気吹出し口３７は冷気通路３５に連通している。冷気通路３５内には、ファン装置３６の前方に位置させてＦダンパ３８が開閉可能に設けられている。また、冷却器カバー３０の下部には、吸込み口３９が設けられている。
【００１３】
そして、図３に示すように、冷却器カバー３０の裏面側の周縁部には、帯状をなすシール部材４０が接着などにより取り付けられている。図３では、シール部材４０には、他の部分との区別を容易にするため、便宜上斜線を施している。シール部材４０は、例えばソフトテープと呼ばれるスポンジ状のもので、弾力性があり、この場合特に、独立気泡の構造で、水分を吸収し難いものとなっている。シール部材４０のうち、冷却器カバー３０の下部に位置するシール部材４０ａは、上下方向の幅が他の部分より大きい幅のものを用いている。冷却器カバー３０の内面側の下部の左右両側には、内方へ庇状に張り出す水切りリブ４１が設けられている。また、冷却器カバー３０の下部の左右両側には、ねじ挿通孔４２ａを有する取付部４２が設けられている。
【００１４】
冷却器カバー３０は、冷却器２１を前方から覆うように冷蔵庫本体１に取り付けられる。その取り付けに当たって、特に下部は、図４に示すように、取付部４２のねじ挿通孔４２ａを挿通したねじ４３を冷蔵庫本体１における断熱箱体２にねじ込むことにより冷蔵庫本体１に固定している。ねじ４３は、冷却器カバー３０を冷蔵庫本体１に固定する固定手段を構成している。このようにして冷却器カバー３０を冷蔵庫本体１に取付固定することで、裏面周縁部のシール部材４０の多くの部分は、断熱箱体２の内箱３に接触した状態で冷却器カバー３０と内箱３とで挟まれて圧縮され、また、下部のシール部材４０ａは、図４および図５に示すように樋２２の上部外面に接触した状態で冷却器カバー３０と樋２２とで挟まれて圧縮された状態となっている。
【００１５】
図５に示すように、水切りリブ４１の先端は、樋２２の上面開口部に臨む位置まで突出している。また、下部のシール部材４０ａの上端部４５は、当該シール部材４０ａと対応する樋２２の上端部２２ａとほぼ同位置かそれより高くなるように設定されている。これにより、冷却器カバー３０と樋２２との間にシール部材４０ａの上端部４５を底部とする溝が形成されない構成としている。
【００１６】
上記構成において、コンプレッサ２６が駆動されるとともにファン装置３６が駆動された状態で、Ｆダンパ３８が開放されていると、冷却器２１により冷却された冷却器収容部２０内の冷気が、冷却器カバー３０における冷気通路３５を通り、各冷気吹出し口３７から冷凍温度帯の貯蔵室である小冷凍室８、製氷室９、および主冷凍室１０に供給され、これら貯蔵室が冷却される。これらの貯蔵室を冷却した冷気は、下部の吸込み口３９から冷却器収容部２０内に戻されて再び冷却されるようになる。このとき、冷却器カバー３０の裏面周縁部にシール部材４０を設けているので、冷却器収容部２０内の冷気が必要のないところへ漏れることを防止することができる。
【００１７】
また、Ｒダンパ３４が開放されると、冷却器２１により冷却された冷却器収容部２０内の冷気の一部は、冷気供給ダクト３２を通り、各冷気吹出し口３３から冷蔵室６内に供給され、冷蔵室６が冷却される。冷蔵室６を冷却した冷気は、図示しない冷気通路を通り野菜室７に供給されて野菜室７を冷却する。野菜室７を冷却した冷気は、図示しない戻り通路を通り冷却器収容部２０内に戻され、再び冷却されるようになる。
【００１８】
冷却器２１の除霜時には、コンプレッサ２６およびファン装置３６を駆動停止させた状態で、冷却器２１に設けられたヒータが通電されて発熱する。このヒータの熱により冷却器２１が温められ、冷却器２１の除霜が行われる。この除霜によって生じた除霜水は、下方の樋２２にて受けられた後、排水口２３から機械室２４のコンプレッサ２６に掛けられ、蒸発皿２５に受けられて貯留される。蒸発皿２５に貯留された除霜水は、コンプレッサ２６の熱等により蒸発されるようになる。また、冷却器カバー３０の内面に付着した水が当該冷却器カバー３０の内面を伝い流下するが、その水の多くは水切りリブ４１により樋２２内に落ちるように案内される。
【００１９】
上記した実施形態においては次のような作用効果を得ることができる。
冷却器２１を貯蔵室側から覆う冷却器カバー３０の裏面側の周縁部にシール部材４０を設けたものにおいて、固定手段であるねじ４３により冷却器カバー３０の下部を冷蔵庫本体１に固定することにより冷却器カバー３０の下部と樋２２との間で下部のシール部材４０ａを挟んで圧縮する構成としたので、シール部材４０ａが、除霜水や結露水を吸収することを極力防止できるようになる。これにより、シール部材４０ａが吸収した水が冷却器カバー３０の下部から貯蔵室、この場合主冷凍室１０内に落下するということを極力防止でき、庫内側への落水を極力防止できるようになる。シール部材４０を圧縮する部分としては、下部のシール部材４０ａに限られず、シール部材４０全体を圧縮することが好ましい。なお、固定手段としては、シール部材４０，４０ａを圧縮することができれば、ねじ４３以外、例えばボルトとナットや、それ以外の手段でもよい。
【００２０】
また、シール部材４０としては水分を吸収し難いものを用いることで、シール部材４０が水を吸収することを一層防止でき、冷却器カバー３０の下部から庫内への落水を一層防止できる。
【００２１】
冷却器カバー３０の下部と樋２２との間で圧縮される部分のシール部材４０ａの上端部４５は、当該シール部材４０ａと対応する樋２２の上端部２２ａとほぼ同位置かそれより高く設定されているので、冷却器カバー３０と樋２２との間にシール部材４０ａの上端部４５を底部とする溝が形成されない。これにより、例えば冷却器カバー３０の内面に付着した水が、冷却器カバーと樋２２との間に溜まることを極力防止ることができる。
【００２２】
ちなみに、シール部材４０ａの上端部４５が、樋２２の上端部２２ａよりも低い位置にある場合、冷却器カバー３０と樋２２との間にシール部材４０ａの上端部４５を底部とする溝が形成され、その溝に除霜水や、冷却器カバー３０の内面に付着した水が溜まることがある。このようになると、その溜まった水が、庫内側へ落下するおそれがあるが、上記した実施形態によれば、そのような不具合も防止することができ、庫内側に落水することを一層防止することができる。
【００２３】
（その他の実施形態）
上記した実施形態では、一つの冷却器２１で冷蔵温度帯の貯蔵室と冷凍温度の貯蔵室の双方を冷却する構成であるが、冷蔵温度帯の貯蔵室を冷却する冷蔵用冷却器と、冷凍温度帯の貯蔵室を冷却する冷凍用冷却器を備えたものでもよい。
【００２４】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００２５】
以上説明したように本実施形態の冷蔵庫によれば、冷却器を貯蔵室側から覆う冷却器カバーの裏面側の周縁部にシール部材を設けたものにおいて、固定手段により冷却器カバーの下部を冷蔵庫本体に固定することにより冷却器カバーの下部と樋との間で下部のシール部材を挟んで圧縮する構成としたので、シール部材が、除霜水や結露水を吸収することを極力防止できるようになる。これにより、シール部材が吸収した水が冷却器カバーの下部から庫内（貯蔵室内）に落下するということを極力防止でき、庫内側への落水を極力防止できるようになる。
【符号の説明】
【００２６】
図面中、１は冷蔵庫本体、２は断熱箱体、６は冷蔵室（貯蔵室）、７は野菜室（貯蔵室）、８は小冷凍室（貯蔵室）、９は製氷室（貯蔵室）、１０は主冷凍室（貯蔵室）、２０は冷却器収容部、２１は冷却器、２２は樋、２２ａは上端部、３０は冷却器カバー、３６はファン装置、４０，４０ａはシール部材、４２は取付部、４３はねじ（固定手段）、４５は上端部を示す。
【図１】
2015014427.tif 000003
【図２】
2015014427.tif 000004
【図３】
2015014427.tif 000005
【図４】
2015014427.tif 000006
【図５】
2015014427.tif 000007